(57)【要約】      （修正有）【課題】飛散する尿を受け止めるように設けられた小水受けの手入れを簡単なものにすることができるポータブルトイレ及びポータブルトイレ用の吸水性シート材を提供する。【解決手段】上面に開口部１２が設けられたトイレ本体１１と、開口部１２から挿入されてトイレ本体１１の内部に収容される便容器１３とを有し、便容器１３の外周面上で上端部には係止部１５が鍔状に設けられており、トイレ本体１１の開口部１２の内周面上には便容器１３の係止部１５を載せて支持する載置部１２Ｂが段差状に設けられているポータブルトイレであり、便容器１３から外れて飛散する尿を受けるべく、小水受け１６が載置部１２Ｂの内側に有底筒状をなすように設けられているとともに、開口部１２の周縁には吸水性シート材１７Ａが、載置部１２Ｂ上で有底筒状の小水受けの外側に、交換可能に敷設されることによって尿吸収部１７が設けられている。【選択図】図２
2015192828.tif 000002
【特許請求の範囲】
【請求項１】
上面に開口部が設けられたトイレ本体と、該開口部から挿入されて該トイレ本体の内部に収容される便容器とを有し、
前記便容器の外周面上で上端部には係止部が鍔状に設けられており、前記トイレ本体の開口部の内周面上には前記便容器の係止部を載せて支持する載置部が段差状に設けられているポータブルトイレであって、
上記便容器から外れて飛散する尿を受けるべく、小水受けが、上記載置部上に樋状をなすように又は上記載置部の内側に有底筒状をなすように設けられているとともに、
少なくとも上記トイレ本体の前部における開口部の周縁には、吸水性シート材が、樋状の小水受けの内側に又は上記載置部上で有底筒状の小水受けの外側に、交換可能に敷設されることによって尿吸収部が設けられている
ことを特徴とするポータブルトイレ。
【請求項２】
更に、上記吸水性シート材の前縁から舌状をなす吸水性シート材を延長して形成し、該舌状をなす吸水性シート材が上記トイレ本体の前面に敷設されることによって前側尿吸収部が設けられている
請求項１に記載のポータブルトイレ。
【請求項３】
上記尿吸収部を構成する上記吸水性シート材を環状として、上記開口部の周縁には、環状をなす吸水性シート材が、樋状の小水受けの内側に又は上記載置部上で有底筒状の小水受けを囲い込むように、交換可能に敷設されることによって、環状の尿吸収部が設けられている
請求項１又は請求項２に記載のポータブルトイレ。
【請求項４】
上面に開口部が設けられたトイレ本体と、該開口部から挿入されて該トイレ本体の内部に収容される便容器とを有し、前記便容器の外周面上で上端部には係止部が鍔状に設けられており、前記トイレ本体の開口部の内周面上には前記便容器の係止部を載せて支持する載置部が段差状に設けられているポータブルトイレ用の吸水性シート材であって、
少なくとも上記トイレ本体の前部における開口部の周縁で、樋状の小水受けの内側に又は上記載置部上で有底筒状の小水受けの外側に、交換可能に敷設して使用する
ことを特徴とするポータブルトイレ用の吸水性シート材。
【請求項５】
上記トイレ本体の開口部の周縁の形状に応じた環状に形成されている
請求項４に記載のポータブルトイレ用の吸水性シート材。
【請求項６】
上記トイレ本体の前部における開口部の周縁の形状に応じた略Ｕ字状に形成されているとともに、横幅の長さを２００ｍｍ以上に設定した
請求項４に記載のポータブルトイレ用の吸水性シート材。
【請求項７】
更に、上記トイレ本体の前面を覆うべく、前縁から舌状をなす部位が延長して形成されている
請求項５又は請求項６に記載のポータブルトイレ用の吸水性シート材。
【発明の詳細な説明】
【技術分野】
【０００１】
本発明は、自らトイレに行って用を足すことが困難な高齢者や身障者の介護、看護等の目的で使用されるポータブルトイレ及び該ポータブルトイレで使用するポータブルトイレ用の吸水性シート材に関する。
【背景技術】
【０００２】
通常の洋式トイレにあっては、男性が立位で便器に向かって小用を足す際に尿が便器の上縁部（リム）や便器外に飛び散ったり、男性が座位で小用を足す際に尿が便器の上縁部（リム）と便座との間から便器外に飛散したり、あるいは男性が座位で小用を終えて立ち上がる際に尿を便器の上縁部（リム）の前端にこぼしたりして、該便器や該床、特に便器本体の前部を汚してしまうことがある。このような汚れに対応するべく、便器の所定箇所を覆うエプロンやカバー、あるいは便器の上縁に取り付ける便器用水止め具が提案されている（例えば特許文献１から特許文献３）。
一方、高齢者や身障者が使用する従来のポータブルトイレは、開口部が設けられたトイレ本体の内部に、バケツ状の便容器を収容した構成となっている。該ポータブルトイレにあっては、該開口部を介して該便容器内に用を足す際に、上記したような尿の飛散によって汚れてしまうことがある。そこで、このような汚れに対応するべく、特許文献４及び特許文献５に開示されるように有底筒状の小水受けをトイレ本体と一体又は別体に設けた、あるいは特許文献６及び特許文献７に開示されるように該開口部の周縁に樋状の小水受けをトイレ本体と一体又は別体に設けたポータブルトイレが提案されている。そして、該小水受けを設けたポータブルトイレにあっては、便容器の外へ飛散した尿が小水受けで受け止められることで、便器や床の汚れを抑制している。
【先行技術文献】
【特許文献】
【０００３】
【特許文献１】実用新案登録第３０７５７２７号公報
【特許文献２】特開２００４−１６０１４０号公報
【特許文献３】特開２０００−３２５２６０号公報
【特許文献４】特開平１１−２５３３５５号公報
【特許文献５】特開２００２−２０９７９４号公報
【特許文献６】特開平１１−２５３３５４号公報
【特許文献７】実用新案登録第３０８５５１０号公報
【発明の概要】
【発明が解決しようとする課題】
【０００４】
ところが、上記従来の洋式トイレに取り付けるエプロンやカバーや便器用水止め具を上記ポータブルトイレに取り付けようとした場合、該便容器の取り出しや収容を該エプロンや該カバーや該便器用水止め具が邪魔してしまうため、該ポータブルトイレに適用することが難しいという問題があった。また小水受けを設けた上記ポータブルトイレの場合、該小水受けで受け止めた尿の処理や掃除等といった手入れに手間を要し、介助者の負担になるという問題があった。
本発明は、飛散する尿を受け止めるように設けられた小水受けの手入れを簡単なものにすることができるポータブルトイレ及び該ポータブルトイレで使用するポータブルトイレ用の吸水性シート材を提供することにある。
【課題を解決するための手段】
【０００５】
上記従来の問題点を解決する手段として、請求項１に記載のポータブルトイレの発明は、上面に開口部が設けられたトイレ本体と、該開口部から挿入されて該トイレ本体の内部に収容される便容器とを有し、前記便容器の外周面上で上端部には係止部が鍔状に設けられており、前記トイレ本体の開口部の内周面上には前記便容器の係止部を載せて支持する載置部が段差状に設けられているポータブルトイレであって、上記便容器から外れて飛散する尿を受けるべく、小水受けが、上記載置部上に樋状をなすように又は上記載置部の内側に有底筒状をなすように設けられているとともに、少なくとも上記トイレ本体の前部における開口部の周縁には、吸水性シート材が、樋状の尿受けの内側に又は上記載置部上で有底筒状の尿受けの外側に、交換可能に敷設されることによって尿吸収部が設けられていることを要旨とする。
請求項２に記載の発明は、請求項１に記載のポータブルトイレの発明において、更に、上記環状をなす吸水性シート材の前縁から舌状をなす吸水性シート材を延長して形成し、該舌状をなす吸水性シート材が上記トイレ本体の前面に敷設されることによって前側尿吸収部が設けられていることを要旨とする。
請求項３に記載の発明は、請求項１又は請求項２に記載のポータブルトイレの発明において、上記尿吸収部を構成する上記吸水性シート材を環状として、上記開口部の周縁には、環状をなす吸水性シート材が、樋状の小水受けの内側に又は上記載置部上で有底筒状の小水受けを囲い込むように、交換可能に敷設されることによって、環状の尿吸収部が設けられていることを要旨とする。
また、上記従来の問題点を解決する手段として、請求項４に記載のポータブルトイレ用の吸水性シート材の発明は、上面に開口部が設けられたトイレ本体と、該開口部から挿入されて該トイレ本体の内部に収容される便容器とを有し、前記便容器の外周面上で上端部には係止部が鍔状に設けられており、前記トイレ本体の開口部の内周面上には前記便容器の係止部を載せて支持する載置部が段差状に設けられているポータブルトイレ用の吸水性シート材であって、少なくとも上記トイレ本体の前部における開口部の周縁で、樋状の小水受けの内側に又は上記載置部上で有底筒状の小水受けの外側に、交換可能に敷設して使用することを要旨とする。
請求項５に記載の発明は、請求項４に記載のポータブルトイレ用の吸水性シート材の発明において、上記トイレ本体の開口部の周縁の形状に応じた環状に形成されていることを要旨とする。
請求項６に記載の発明は、請求項４に記載のポータブルトイレ用の吸水性シート材の発明において、上記トイレ本体の前部における開口部の周縁の形状に応じた略Ｕ字状に形成されているとともに、横幅の長さを２００ｍｍ以上に設定したことを要旨とする。
請求項７に記載の発明は、請求項５又は請求項６に記載のポータブルトイレ用の吸水性シート材の発明において、更に、上記トイレ本体の前面を覆うべく、前縁から舌状をなす部位が延長して形成されていることを要旨とする。
【発明の効果】
【０００６】
〔作用〕
本発明のポータブルトイレには、便容器を支持する載置部上に樋状の小水受け又は便容器を支持する載置部の内側に有底筒状の小水受けが設けられており、該便容器から外れて飛散する尿は、該小水受けに溜まろうとするので、尿の飛散による汚れの発生を抑制することができる。ここで、ポータブルトイレの少なくとも前部には本発明のポータブルトイレ用の吸水性シート材が交換可能に敷設されることにより、尿吸収部が、樋状の小水受けであればその内側に又は有底筒状の小水受けであれば該小水受けの外側に設けられている。そして、小水受けに溜まろうとする尿は、該尿吸収部で該吸水性シート材に吸収されるから、実際に小水受けに溜まる尿を減らすことができる。また、該尿吸収部は、該吸水性シート材を交換可能に敷設して設けられたものであるから、小水受けで受け止めた尿の処理や掃除等の手入れは、尿を吸収した後の吸水性シート材を廃棄して新たな吸水性シート材に交換するという簡単な作業で済ますことが可能となる。
また上記ポータブルトイレ用の吸水性シート材の前縁から舌状をなす部位を延長し、舌状をなす吸水性シート材を形成して、該舌状をなす吸水性シート材をトイレ本体の前面に敷設することにより、トイレ本体の前面に前側尿吸収部を設けた場合、特に男性が座位で小用を足す際におけるトイレ本体の上縁部と便座との間からの尿の飛散による該トイレ本体や床の汚れを抑制することができる。
また上記吸水性シート材は、上記トイレ本体の前部で開口部の周縁に応じた略Ｕ字状に形成し、その横幅の長さを２００ｍｍ以上に設定することで、尿の飛散によって頻繁に汚れる箇所を的確に覆うことができる。
また上記吸水性シート材を環状とし、上記開口部の周縁で樋状の小水受けの内側に又は上記載置部上で有底筒状の小水受けを囲い込むように、環状の尿吸収部を設けた場合、小水受けに溜まろうとあらゆる方向から流れ込む尿を、該環状をなす吸水性シート材に吸収することができるから、実際に小水受けに溜まる尿をほぼ無くすことができる。
【０００７】
〔効果〕
本発明のポータブルトイレ及びポータブルトイレ用の吸水性シート材によれば、飛散する尿を受け止めるように設けられた小水受けの尿の処理や掃除等の手入れを簡単なものにすることができる。
【図面の簡単な説明】
【０００８】
【図１】第１実施形態のポータブルトイレを前側斜め上方から見た説明図。
【図２】第１実施形態のポータブルトイレを示す横断面図。
【図３】（ａ）は実施形態の吸水性シート材を示す平面図、（ｂ），（ｃ）は別形態の吸水性シート材を示す平面図
【図４】第２実施形態のポータブルトイレを示す横断面図。
【図５】第３実施形態のポータブルトイレを示す横断面図。
【図６】第４実施形態のポータブルトイレを示す横断面図。
【発明を実施するための形態】
【０００９】
〔第１実施形態〕
本発明のポータブルトイレ及びポータブルトイレ用の吸水性シート材を具体化した第１実施形態を図面に基づき説明する。
図１に示すように、ポータブルトイレ１０は、トイレ本体１１と、該トイレ本体１１の上面に設けられた開口部１２と、該開口部１２から挿入されて該トイレ本体１１の内部に収容される便容器１３とを有している。
上記トイレ本体１１は、略台状に形成されており、底部の四隅には、支持脚１１Ａがそれぞれ設けられることにより、該支持脚１１Ａで高さ調節可能に構成されている。該トイレ本体１１の上面には、上記開口部１２に加えて、左右両側縁部に高さ調節可能な肘置１１Ｂが設けられているとともに、後縁部に背もたれ１１Ｃが設けられており、使用者が安定して座ることが出来るようになっている。
上記トイレ本体１１の上面の後縁部において背もたれ１１Ｃよりも手前側には、環状をなす便座１４が、その後縁部を支点として上下方向へ回動出来るように取り付けられている。そして、該便座１４は、該ポータブルトイレ１０を使用する高齢者や要介護者（以下、単に「使用者」と記載する）が立位で用を足す場合には上方へ回動されて開口部１２を開放し、また座位で用を足す場合には下方へ回動されて該便座１４に使用者が腰かけるようになっている。
上記便容器１３は、バケツ状に形成されており、左右両側の上端の間には、持ち手１３Ａが回動可能に取り付けられている。該便容器１３の外周面上で上端部には係止部１５が鍔状に設けられている。
【００１０】
図１の左側半分及び図２に示すように、上記トイレ本体１１の開口部１２の内周面上で上縁部には、上記便座１４を下方へ回動した際に該便座１４を支持するための便座支持部１２Ａが段差状をなすように設けられている。更に上記トイレ本体１１の開口部１２の内周面上で該便座支持部１２Ａの下側には、載置部１２Ｂが、前記便座支持部１２Ａと階段状をなす段差状に設けられている。
上記便容器１３は、上記開口部１２から上記トイレ本体１１内へ挿入されて、その係止部１５を該載置部１２Ｂに載せることにより、該トイレ本体１１の内部に吊り下げられるようにして支持され、収容されるようになっている。
上記載置部１２Ｂの内側には、小水受け１６が設けられている。該小水受け１６は、上記便容器１３よりも大きなサイズの有底筒状をなすように形成されている。このため、上記トイレ本体１１に収容された便容器１３の外面と、該小水受け１６の内面との間には、空隙１６Ａが形成されており、上記便容器１３の内部から外れて飛散する尿は、上記便座支持部１２Ａや上記載置部１２Ｂから該空隙１６Ａを介して該小水受け１６内に受け止められる。
【００１１】
上記トイレ本体１１には、開口部１２の周縁に環状の尿吸収部１７が設けられているとともに、前面に前側尿吸収部１８が設けられており、該環状の尿吸収部１７と、該前側尿吸収部１８とにより、開口部１２の周縁やトイレ本体１１の前面に飛散した尿が吸収される（図１の右側半分を参照）。該環状の尿吸収部１７及び該前側尿吸収部１８は、吸水性シート材を上記トイレ本体１１の所定箇所に敷設して設けられたものである。
図３（ａ）に示すように、上記吸水性シート材は、環状をなす吸水性シート材１７Ａと、該環状をなす吸水性シート材１７Ａの前縁から延長して形成された舌状部位である舌状をなす吸水性シート材１８Ａとによって構成されている。この吸水性シート材は、ポリアクリル酸ナトリウム、ポリアクリロニトリル、ポリビニルアルコール、ポリエチレングリコール等の吸水性ポリマーを顆粒状としたうえで、透水性を有する一対の不織布の間に挟み込んで封入したり、透水性を有する不織布内に混入したりすることにより、得られたものである。従って、該吸水性シート材は、その内部に水分を吸収して溜め込む性能を有しており、飛散した尿を吸収する機能を奏する。
【００１２】
上記環状の尿吸収部１７は、環状をなす吸水性シート材１７Ａを上記トイレ本体１１の開口部１２の周縁で上記便座支持部１２Ａ及び上記載置部１２Ｂ上に敷くことにより、上記小水受け１６を囲い込むように設けられる（図１右側半分及び図２参照）。このため該環状の尿吸収部１７は、上記小水受け１６内に受け止められようとする尿を、環状をなす吸水性シート材１７Ａで吸収し、該小水受け１６内に溜まる尿の量を極僅かにする、あるいは殆ど無くすことが出来る。そして該環状の尿吸収部１７は、環状をなす吸水性シート材１７Ａを敷くのみで設けられたものであり、交換可能であるから、尿を吸収した後の吸水性シート材１７Ａは、新しいものと交換すればよい。従って、環状をなす吸水性シート材１７Ａからなる上記環状の尿吸収部１７を設けることにより、小水受け１６の尿の処理や掃除等の手入れを簡単なものにすることができる。
上記前側尿吸収部１８は、前記環状をなす吸水性シート材１７Ａの前縁から延設された舌状をなす吸水性シート材１８Ａを、上記トイレ本体１１の前面を覆うように敷設することで設けられる（図１右側半分参照）。該前側尿吸収部１８は、使用者が立位で用を足す場合に上記トイレ本体１１の前面に飛散する尿や、座位で用を足す場合に上記トイレ本体１１の上縁部と上記便座１４との間から飛散する尿を吸収し、該トイレ本体１１の前面の汚れを抑制する。該前側尿吸収部１８は、舌状をなす吸水性シート材１８Ａで上記トイレ本体１１の前面を覆うのみで設けられたものであり、また上記環状をなす吸水性シート材１７Ａと繋がっていることから、交換可能である。従って、尿を吸収した後の舌状をなす吸水性シート材１８Ａは、上記環状をなす吸水性シート材１７Ａとともに新しいものと交換することで、またトイレ本体１１の前面の汚れを抑制することが可能となり、トイレ本体１１の前面の掃除等の手入れを簡単なものにすることができる。
上記環状をなす吸水性シート材１７Ａにおいては、内周縁から外周縁までの幅長が、上記便座支持部１２Ａの幅長と上記載置部１２Ｂの幅長とを合計した長さよりも長くなるように設定されている（図２参照）。このため、上記便容器１３が上記トイレ本体１１内に収容された状態で、該吸水性シート材１７Ａの内周縁部１７Ｂが、上記便容器１３の係止部１５と上記載置部１２Ｂとの間で挟持されることにより、該環状をなす吸水性シート材１７Ａの位置ずれが抑制される。更に、上記便座１４が下ろされて上記便座支持部１２Ａに支持された状態では、該吸水性シート材１７Ａの外周縁部１７Ｃが、上記便座１４と上記便座支持部１２Ａとの間で挟持されることにより、該環状をなす吸水性シート材１７Ａの位置ずれが好適に抑制される。
【００１３】
なお、上記吸水性シート材にあっては、例えば図３（ｂ）に示すように、環状をなす吸水性シート材１７Ａの後部中央を切断することによって切れ込み１７Ｄを設け、該切れ込み１７Ｄで環状をなす吸水性シート材１７Ａを開くようにして、上記トイレ本体１１に敷設してもよい。この場合には敷設に際してトイレ本体１１の前側から環状をなす吸水性シート材１７Ａを差し入れることが可能であり、敷設の容易化を図ることができるとともに、サイズの異なるトイレ本体にあっても、該切れ込み１７Ｄでシート材の端部間に隙間を設けたり、端部同士を重ねたりすることで、異なるサイズのトイレ本体で吸水性シート材を使い回すことができる。
また上記吸水性シート材にあっては、例えば図３（ｂ）に示すように、環状をなす吸水性シート材１７Ａと舌状をなす吸水性シート材１８Ａとの間にミシン目１７Ｅを設け、該ミシン目１７Ｅで舌状をなす吸水性シート材１８Ａを切り離せるように構成してもよい。この場合には、例えば舌状をなす吸水性シート材１８Ａでは尿を吸収したが、環状をなす吸水性シート材１７Ａでは尿を吸収していない場合に、該舌状をなす吸水性シート材１８Ａを切り離して捨てることで、ポータブルトイレ１０の衛生を保つことができる。
また上記環状をなす吸水性シート材１７Ａにあっては、その内周縁部１７Ｂが、必ずしも上記便容器１３の係止部１５と上記載置部１２Ｂとの間で挟持されることに限定されず、環状をなす吸水性シート材１７Ａの内周縁を便容器１３の係止部１５の外周縁までとし、該内周縁部１７Ｂが該係止部１５と上記載置部１２Ｂとの間に挟まれないように構成してもよい。
また上記環状をなす吸水性シート材１７Ａにあっては、外周縁部１７Ｃが、必ずしも上記便座１４と上記便座支持部１２Ａとの間で挟持されることに限らず、該外周縁部１７Ｃが便座１４と上記便座支持部１２Ａとの間に挟まれないように構成してもよい。更に、上記環状をなす吸水性シート材１７Ａは、必ずしも上記便座支持部１２Ａ及び上記載置部１２Ｂの両方に敷設する必要はなく、少なくとも上記載置部１２Ｂ上に敷設されていれば、上記便座支持部１２Ａが覆われないように構成してもよい。
そして、上記吸水性シート材は、消臭剤を含ませたり、水溶性のものすることで便容器１３内の汚物とともに廃棄できるようにしたりしてもよい。
【００１４】
上記尿吸収部１７は、必ずしも開口部１２の周縁の全てをカバーできるように環状に設けることに限らず、特に汚れることが多い上記トイレ本体１１の前部で開口部１２の周縁を少なくともカバーできるように設けてもよい。このような場合、該尿吸収部１７と上記前側尿吸収部１８とを構成する吸水性シート材は、例えば図３（ｃ）に示すように、略Ｕ字状の吸水性シート材１７Ｆと、その前縁から延設された舌状をなす吸水性シート材１８Ａとによって、全体でＹ字状とされる。また舌状をなす吸水性シート材１８Ａを省略し、略Ｕ字状の吸水性シート材１７Ｆのみ（つまり、図３（ｃ）中の鎖線より上部分のみ）で尿吸収部１７を構成してもよい。
さらに、該Ｙ字状の吸水性シート材、あるいは略Ｕ字状の吸水性シート材１７Ｆによって、上記トイレ本体１１の前部で開口部１２の周縁を少なくともカバーするように構成した場合に、尿の飛散汚れを好適に防止するには、横幅（図３（ｃ）中にＷで示す）の長さを２００ｍｍ以上に設定することが望ましい。すなわち、高齢者等の要介護者が本発明のようなポータブルトイレに自然な状態で座ると、両ひざ内側の距離が、実測データの平均値で約１００ｍｍ、最大値で１５０ｍｍであったため、吸水性シート材（略Ｕ字状の吸水性シート材１７Ｆ）の横幅の長さを、両ひざ内側の距離の最大値（１５０ｍｍ）を超える２００ｍｍ以上に設定すれば、両ひざ内側部分を余すところなくカバーすることができる。
【００１５】
〔第２実施形態〕
以下、本発明のポータブルトイレの第２実施形態について説明するが、これ以降の各実施形態で示すポータブルトイレについては、上記第１実施形態と異なる点を中心に説明する。また上記の環状をなす吸水性シート材１７Ａと舌状をなす吸水性シート材１８Ａ、あるいは略Ｕ字状の吸水性シート材１７Ｆと舌状をなす吸水性シート材１８Ａ、あるいは環状をなす吸水性シート材１７Ａのみ、あるいは略Ｕ字状の吸水性シート材１７Ｆのみは、上記第１実施形態で示したポータブルトイレ１０、あるいは第２実施形態以降の各実施形態で示すポータブルトイレで使用することに限らず、上面に開口部が設けられたトイレ本体と、該開口部から挿入されて該トイレ本体の内部に収容される便容器とを有し、前記便容器の外周面上で上端部には係止部が鍔状に設けられており、前記トイレ本体の開口部の内周面上には前記便容器の係止部を載せて支持する載置部が段差状に設けられているポータブルトイレであれば、何れのポータブルトイレで使用してもよい。
図４に示すように、本実施形態のポータブルトイレのトイレ本体１１は、小水受け１６が該トイレ本体１１に対して着脱可能に構成されている。
すなわち、トイレ本体１１の開口部１２において、便座支持部１２Ａの内周縁からは、小水受け支持部１２Ｃが、断面Ｌ字状をなすように延設されている。また小水受け１６の上端縁には、載置部１２Ｂがフランジ状をなすように形成されている。そして、トイレ本体１１の開口部１２から小水受け１６を挿入するとともに、該小水受け１６の載置部１２Ｂを小水受け支持部１２Ｃの上に載せることにより、該小水受け１６は、トイレ本体１１の内部に、吊り下げられるようにして支持される。また該小水受け１６が内部に尿が溜まる等して汚れた際は、該トイレ本体１１から該小水受け１６を取り外し、該小水受け１６のみを洗うことができる。
【００１６】
〔第３実施形態〕
図５に示すように、本実施形態のポータブルトイレのトイレ本体１１は、樋状の小水受け１６が載置部１２Ｂ上に設けられている。
すなわち、トイレ本体１１において、小水受け１６は、載置部１２Ｂをその上面側から断面凹状にへこませることによって、該載置部１２Ｂ上に樋状をなすように設けられている。該樋状の小水受け１６にあっては、上記環状をなす吸水性シート材１７Ａが小水受け１６の内側に敷設されることによって環状の尿吸収部１７が設けられている。そして、樋状の該小水受け１６においては、該小水受け１６内に受け止められた尿の全てを環状の尿吸収部１７の吸水性シート材１７Ａに吸収させることができる。
【００１７】
〔第４実施形態〕
図６に示すように、本実施形態のポータブルトイレのトイレ本体１１は、樋状の小水受け１６が載置部１２Ｂ上に設けられているとともに、該小水受け１６が該トイレ本体１１に対して着脱可能に構成されている。
すなわち、トイレ本体１１の開口部１２において、便座支持部１２Ａの内周縁からは、小水受け支持部１２Ｃが、断面Ｌ字状をなすように延設されている。載置部１２Ｂは、平面視環状の薄皿状に形成されており、その内周縁部をその上面側から断面凹状にへこませることによって、該載置部１２Ｂ上に樋状をなす小水受け１６が設けられている。該トイレ本体１１にあっては、開口部１２の内側で小水受け支持部１２Ｃ上に載置部１２Ｂを載せ、更に該載置部１２Ｂの内側に便容器１３を挿入するようにして、該便容器１３が支持される。
上記トイレ本体１１においては、上記環状をなす吸水性シート材１７Ａが小水受け１６の内側に敷設されることによって環状の尿吸収部１７が設けられている。そして、樋状の該小水受け１６内に受け止められた尿の略全てが環状の尿吸収部１７の吸水性シート材１７Ａに吸収されるが、万一、該吸水性シート材１７Ａで尿を吸収しきれず、該小水受け１６が汚れた場合に、該小水受け１６が設けられた載置部１２Ｂをトイレ本体１１から取り外して洗うことができる。
【産業上の利用可能性】
【００１８】
本発明のポータブルトイレ及びポータブルトイレ用の吸水性シート材にあっては、小水受けの尿の処理や掃除等の手入れを簡単なものにすることができるから、産業上の利用可能性がある。
【符号の説明】
【００１９】
１０    ポータブルトイレ
１１    トイレ本体
１１Ａ  支持脚
１１Ｂ  肘置
１１Ｃ  背もたれ
１２    開口部
１２Ａ  便座支持部
１２Ｂ  載置部
１２Ｃ  小水受け支持部
１３    便容器
１３Ａ  持ち手
１４    便座
１５    係止部
１６    小水受け
１６Ａ  空隙
１７    尿吸収部
１７Ａ  環状をなす吸水性シート材
１７Ｃ  略Ｕ字状をなす吸水性シート材
１８    前側尿吸収部
１８Ａ  舌状をなす吸水性シート材
【図１】
2015192828.tif 000003
【図２】
2015192828.tif 000004
【図３】
2015192828.tif 000005
【図４】
2015192828.tif 000006
【図５】
2015192828.tif 000007
【図６】
2015192828.tif 000008